(57)【要約】【課題】表示部の故障を適正に検出することができる車両用表示装置を提供する。【解決手段】車両用表示装置１は、液晶ディスプレイ装置４０と、筐体１０と、検出部５０と、ＧＤＣマイコン６０とを備える。液晶ディスプレイ装置４０は、車両に搭載され画像を表示する表示画面４３０を有する。筐体１０は、液晶ディスプレイ装置４０を収容する。検出部５０は、表示画面４３０の発光状態を検出する。ＧＤＣマイコン６０は、検出部５０の検出結果に基づいて液晶ディスプレイ装置４０の故障を判定する。表示画面４３０は、筐体１０の外側に露出した露出領域４３０ａ、及び、筐体１０の外側に露出していない非露出領域４３０ｂを含んで構成される。検出部５０は、非露出領域４３０ｂの発光状態を検出する。【選択図】図１
2019156248.tif 000002
【特許請求の範囲】
【請求項１】
車両に搭載され画像を表示する表示画面を有する表示部と、
前記表示部を収容する筐体と、
前記表示画面の発光状態を検出する検出部と、
前記検出部の検出結果に基づいて前記表示部の故障を判定する制御部と、を備え、
前記表示画面は、前記筐体の外側に露出した露出領域、及び、前記筐体の外側に露出していない非露出領域を含んで構成され、
前記検出部は、前記非露出領域の発光状態を検出することを特徴とする車両用表示装置。
【請求項２】
前記筐体は、箱状に形成され前記表示部が配置される開口部が設けられる本体部、及び、枠状に形成され前記開口部を囲んで組み付けられる見返し部材を含んで構成され、
前記見返し部材は、前記開口部に組み付けられた状態で前記非露出領域を覆う覆い壁を含んで構成され、
前記検出部は、前記覆い壁と前記非露出領域との間に設けられる請求項１に記載の車両用表示装置。
【請求項３】
前記非露出領域は、前記表示部の故障を検出するためのテスト画像を表示し、
前記検出部は、前記非露出領域に表示された前記テスト画像に基づいて前記発光状態を検出する請求項１又は２に記載の車両用表示装置。
【請求項４】
前記表示部は、画像を表示する第１表示部及び前記第１表示部とは異なる第２表示部を含んで構成され、
前記制御部は、前記第１表示部が故障した場合、当該第１表示部に表示する画像を前記第２表示部に表示する請求項１〜３のいずれか１項に記載の車両用表示装置。
【発明の詳細な説明】
【技術分野】
【０００１】
本発明は、車両用表示装置に関する。
【背景技術】
【０００２】
従来、車両用表示装置として、例えば、特許文献１には、車両に搭載され、速度等を表す計器の画像を表示するディスプレイを備える表示装置が開示されている。
【先行技術文献】
【特許文献】
【０００３】
【特許文献１】特開２０１７−４９０５８号公報
【発明の概要】
【発明が解決しようとする課題】
【０００４】
ところで、上述の特許文献１に記載の表示装置は、例えば、ディスプレイの故障を検出することが望まれている。
【０００５】
そこで、本発明は、上記に鑑みてなされたものであって、表示部の故障を適正に検出することができる車両用表示装置を提供することを目的とする。
【課題を解決するための手段】
【０００６】
上述した課題を解決し、目的を達成するために、本発明に係る車両用表示装置は、車両に搭載され画像を表示する表示画面を有する表示部と、前記表示部を収容する筐体と、前記表示画面の発光状態を検出する検出部と、前記検出部の検出結果に基づいて前記表示部の故障を判定する制御部と、を備え、前記表示画面は、前記筐体の外側に露出した露出領域、及び、前記筐体の外側に露出していない非露出領域を含んで構成され、前記検出部は、前記非露出領域の発光状態を検出することを特徴とする。
【０００７】
上記車両用表示装置において、前記筐体は、箱状に形成され前記表示部が配置される開口部が設けられる本体部、及び、枠状に形成され前記開口部を囲んで組み付けられる見返し部材を含んで構成され、前記見返し部材は、前記開口部に組み付けられた状態で前記非露出領域を覆う覆い壁を含んで構成され、前記検出部は、前記覆い壁と前記非露出領域との間に設けられることが好ましい。
【０００８】
上記車両用表示装置において、前記非露出領域は、前記表示部の故障を検出するためのテスト画像を表示し、前記検出部は、前記非露出領域に表示された前記テスト画像に基づいて前記発光状態を検出することが好ましい。
【０００９】
上記車両用表示装置において、前記表示部は、画像を表示する第１表示部及び前記第１表示部とは異なる第２表示部を含んで構成され、前記制御部は、前記第１表示部が故障した場合、当該第１表示部に表示する画像を前記第２表示部に表示することが好ましい。
【発明の効果】
【００１０】
本発明に係る車両用表示装置は、筐体の外側に露出した露出領域及び筐体の外側に露出していない非露出領域を有する表示画面を含んで構成され、検出部が非露出領域の発光状態を検出する。この構成により、車両用表示装置は、露出領域に表示される画像とは異なるテスト画像を非露出領域に表示することができ、表示部の故障を適正に検出することができる。
【図面の簡単な説明】
【００１１】
【図１】図１は、実施形態に係る車両用表示装置の構成例を示す正面図である。
【図２】図２は、実施形態に係る車両用表示装置において図１に示すＸ−Ｘ断面図である。
【図３】図３は、実施形態に係る車両用表示装置の動作例を示すフローチャートである。
【図４】図４は、実施形態の変形例に係る車両用表示装置の構成例を示す正面図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
〔実施形態〕
実施形態に係る車両用表示装置１について説明する。車両用表示装置１は、いわゆるメータを構成するものであり、例えば、自動車等の車両のダッシュボードに設けられたインストルメントパネルに搭載され、車両の運転に供される種々の情報を表示する。
【００１４】
なお、車両用表示装置１の幅方向とは、典型的には、この車両用表示装置１が適用される車両の車幅方向に相当する。また、車両用表示装置１の奥行き方向とは、典型的には、この車両用表示装置１が適用される車両の前後方向（言い換えれば、車両進行方向）に相当する。また、車両用表示装置１の前面側とは、車両の運転席と対面する側であり、典型的には、当該運転席に座った運転者によって視認される側である。一方、車両用表示装置１の背面側とは、奥行き方向において前面側とは反対側であり、典型的には、インストルメントパネルの内部に収容される側である。また、以下の説明で用いる各方向は、特に断りのない限り、車両用表示装置１がインストルメントパネルに組み付けられた状態での方向を表す。また、アイポイント（目視位置）ＥＰは、車両に応じて予め定まる運転者の視点の位置であり、空間領域として予め想定される。
【００１５】
車両用表示装置１は、図１及び図２に示すように、筐体１０と、メータ用基板２０と、表ガラス３０と、表示部としての液晶ディスプレイ装置４０と、検出部５０と、制御部としてのＧＤＣ（Ｇｒａｐｈｉｃｓ  Ｄｉｓｐｌａｙ  Ｃｏｎｔｒｏｌｌｅｒ）マイコン６０とを備える。筐体１０は、車両用表示装置１を構成する種々の部品が組み付けられこれらを収容するものである。筐体１０は、絶縁性を有する樹脂材料等によって構成される。筐体１０は、例えば、本体部としての収容ケース１１と、見返し部材１２とを含んで構成される。収容ケース１１は、車両用表示装置１を構成する種々の部品が組み付けられこれらを収容するものである。収容ケース１１は、箱状に形成され内部空間部１１０を有している。収容ケース１１は、奥行き方向の前面側に開口部１１１が設けられている。開口部１１１は、矩形状に形成され、液晶ディスプレイ装置４０の矩形状の表示画面４３０と同等の大きさに開口されている。開口部１１１には、アイポイントＥＰから表示画面４３０を視認可能に液晶ディスプレイ装置４０が配置される。収容ケース１１は、液晶ディスプレイ装置４０を開口部１１１に配置した状態で当該液晶ディスプレイ装置４０を内部空間部１１０に収容する。収容ケース１１は、見返し部材１２を係止するための係止用の孔部１１２が開口部１１１側に設けられている。また、収容ケース１１は、後述する液晶ディスプレイ４３を支持する支持部１１３が設けられている。
【００１６】
見返し部材１２は、収容ケース１１の開口部１１１を囲んで組み付けられ、当該収容ケース１１と共に液晶ディスプレイ４３を保持する部材である。そして、見返し部材１２は、液晶ディスプレイ４３の表示画面４３０を奥行き方向の前面側、すなわち、アイポイントＥＰ側に露出させる。見返し部材１２は、奥行き方向から視て枠状に形成されている。見返し部材１２は、筒部１２０と、保持部１２１とを含んで構成される。筒部１２０は、筒状に形成され、奥行き方向に沿ってアイポイントＥＰ側に延在する部分である。筒部１２０は、奥行き方向の前面側に表ガラス３０が組み付けられる。
【００１７】
保持部１２１は、筒部１２０の奥行き方向の背面側に設けられ、収容ケース１１の開口部１１１の外周部に当接される部分である。保持部１２１は、枠状に形成され、覆い壁１２１ａと、第１側壁１２１ｂと、第２側壁１２１ｃとを含んで構成される。覆い壁１２１ａは、環状且つ平板状に形成されている。覆い壁１２１ａは、奥行き方向から視て、表示画面４３０の前面側に位置する。覆い壁１２１ａは、筐体１０の開口部１１１を囲むように保持部１２１を当該開口部１１１に組み付けた状態で、表示画面４３０の一部を覆う。覆い壁１２１ａは、例えば、奥行き方向から視て表示画面４３０の外周部（後述の非露出領域４３０ｂ）を覆う。
【００１８】
第１側壁１２１ｂは、奥行き方向から視て環状に形成され、覆い壁１２１ａの外周縁から奥行き方向に沿って表示画面４３０側に延在している。第１側壁１２１ｂは、収容ケース１１の開口部１１１の外側を囲うように組み付けられる。つまり、第１側壁１２１ｂは、保持部１２１が収容ケース１１の開口部１１１に組み付けられた状態で、当該収容ケース１１の開口部１１１の外側に位置している。第１側壁１２１ｂは、例えば、当該第１側壁１２１ｂの内側が収容ケース１１の外周面に当接した状態で収容ケース１１の開口部１１１に組み付けられる。第１側壁１２１ｂは、周方向に沿って所定間隔でビス用の孔部１２１ｄが設けられ、当該ビス用の孔部１２１ｄが収容ケース１１の係止用の孔部１１２に位置合わせされる。そして、見返し部材１２は、第１側壁１２１ｂのビス用の孔部１２１ｄ及び収容ケース１１の係止用の孔部１１２にビス１３を挿入することで収容ケース１１に係止される。
【００１９】
第２側壁１２１ｃは、奥行き方向から視て環状に形成され、覆い壁１２１ａの内周縁から奥行き方向に沿って表示画面４３０側に延在している。第２側壁１２１ｃは、第１側壁１２１ｂの内側に配置されている。第２側壁１２１ｃは、奥行き方向の背面側の長さが当該第１側壁１２１ｂよりも短く形成され、表示画面４３０に当接している。第２側壁１２１ｃは、表示画面４３０に当接することで当該表示画面４３０を収容ケース１１と協働して保持している。つまり、第２側壁１２１ｃは、収容ケース１１の支持部１１３と協働して液晶ディスプレイ４３を挟持している。このように、保持部１２１は、収容ケース１１の開口部１１１に組み付けられた状態で液晶ディスプレイ４３を保持している。保持部１２１は、液晶ディスプレイ４３の表示画面４３０との間にセンサ収容空間部１２１ｅを形成する。センサ収容空間部１２１ｅは、保持部１２１の覆い壁１２１ａ、第１側壁１２１ｂ、及び、第２側壁１２１ｃと表示画面４３０とにより囲まれた空間である。センサ収容空間部１２１ｅには、検出部５０が設置される。
【００２０】
メータ用基板２０は、車両用表示装置１における各種機能を実現するための種々の電子部品、配線が実装されるものである。メータ用基板２０は、収容ケース１１の内部空間部１１０に収容可能な形状且つ大きさの略矩形板状に形成される。メータ用基板２０は、ビス等の固定部材を介して収容ケース１１の奥行き方向の背面側に組み付けられる。
【００２１】
表ガラス３０は、光を透過する光透過性を有する保護部材であり、見返し部材１２の奥行き方向の前面側に組み付けられる。表ガラス３０は、見返し部材１２に対して係止部を介して係止固定される。表ガラス３０は、表示画面４３０の奥行き方向の前面側、すなわち、アイポイントＥＰ側を覆い、これを保護する。表ガラス３０は、液晶ディスプレイ４３の表示画面４３０を透過する。
【００２２】
液晶ディスプレイ装置４０は、画像を表示する装置である。液晶ディスプレイ装置４０は、奥行き方向の前面側に表示画面４３０が位置した状態で収容ケース１１に収容されている。液晶ディスプレイ装置４０は、バックライト用基板４１と、バックライト４２と、１つの液晶ディスプレイ４３とを含んで構成される。バックライト用基板４１は、バックライト４２を制御するものである。バックライト用基板４１は、奥行き方向においてバックライト４２の背面側に設けられている。バックライト用基板４１は、バックライト４２に接続され、当該バックライト４２の発光を制御する。バックライト４２は、液晶ディスプレイ４３に光を照射するものである。バックライト４２は、発光ダイオード等を含んで構成され、奥行き方向において液晶パネル１３ａの背面側に対向して配置されている。バックライト４２は、液晶ディスプレイ４３に光を照射する。
【００２３】
液晶ディスプレイ４３は、周知の液晶技術を用いたディスプレイであり、例えば、ＲＧＢカラーフィルター、液晶セル、偏光フィルター等を含んで構成される。液晶ディスプレイ４３は、奥行き方向の前面側にカラー画像を表示する表示画面４３０を有する。表示画面４３０は、筐体１０の外側に露出した露出領域４３０ａ、及び、筐体１０の外側に露出していない非露出領域４３０ｂを含んで構成される。露出領域４３０ａは、アイポイントＥＰから視て視認可能な領域である。非露出領域４３０ｂは、アイポイントＥＰから視て視認不可な領域である。非露出領域４３０ｂは、枠状且つ矩形に形成されている。非露出領域４３０ｂは、見返し部材１２の覆い壁１２１ａにより覆われている。つまり、非露出領域４３０ｂは、アイポイントＥＰから視て見返し部材１２の覆い壁１２１ａと重なっている。
【００２４】
検出部５０は、表示画面４３０の発光状態を検出するものである。検出部５０は、例えば、照度センサ５１及びＲＧＢセンサ５２が用いられる。照度センサ５１は、明るさの度合い（照度）を検出するセンサである。照度センサ５１は、表示画面４３０の非露出領域４３０ｂと覆い壁１２１ａとの間に設けられる。つまり、照度センサ５１は、センサ収容空間部１２１ｅに配置されている。照度センサ５１は、表示画面４３０の非露出領域４３０ｂに直接設けられてもよいし、当該非露出領域４３０ｂとの間に隙間を有して設けられてもよい。照度センサ５１は、例えば、１つ用いられ、保持部１２１のセンサ収容空間部１２１ｅにおいて鉛直方向の上側のセンサ収容空間部１２１ｅに配置されている。照度センサ５１は、表示画面４３０の非露出領域４３０ｂの明るさの度合い（照度）を検出する。照度センサ５１は、例えば、非露出領域４３０ｂに表示された後述のテスト画像に基づいて照度を検出する。照度センサ５１は、ＧＤＣマイコン６０に接続され、検出した非露出領域４３０ｂの照度をＧＤＣマイコン６０に出力する。
【００２５】
ＲＧＢセンサ５２は、赤色（Ｒ）、緑色（Ｇ）、青色（Ｂ）のそれぞれの明るさの度合い（「ＲＧＢの明るさの度合い」とも称する。）を検出するセンサである。ＲＧＢセンサ５２は、表示画面４３０の非露出領域４３０ｂと覆い壁１２１ａとの間に設けられる。つまり、ＲＧＢセンサ５２は、センサ収容空間部１２１ｅに配置されている。ＲＧＢセンサ５２は、表示画面４３０の非露出領域４３０ｂに直接設けられてもよいし、当該非露出領域４３０ｂとの間に隙間を有して設けられてもよい。ＲＧＢセンサ５２は、例えば、１つ用いられ、保持部１２１のセンサ収容空間部１２１ｅにおいて鉛直方向の下側のセンサ収容空間部１２１ｅに配置されている。ＲＧＢセンサ５２は、表示画面４３０の非露出領域４３０ｂの赤色、緑色、青色のそれぞれの明るさの度合いを検出する。ＲＧＢセンサ５２は、例えば、非露出領域４３０ｂに表示されたテスト画像に基づいてＲＧＢの明るさの度合いを検出する。ＲＧＢセンサ５２は、ＧＤＣマイコン６０に接続され、検出した非露出領域４３０ｂのＲＧＢの明るさの度合いをＧＤＣマイコン６０に出力する。
【００２６】
ＧＤＣマイコン６０は、液晶ディスプレイ装置４０に接続され、液晶ディスプレイ装置４０を制御するものである。ＧＤＣマイコン６０は、ＣＰＵ、記憶部を構成するＲＯＭ、ＲＡＭ及びインターフェースを含む周知のマイクロコンピュータを主体とする電子回路を含んで構成される。ＧＤＣマイコン６０は、液晶ディスプレイ装置４０の故障を検出するためのテスト画像を記憶部に記憶している。ＧＤＣマイコン６０は、照度を検出するためのテスト画像を表示画面４３０の非露出領域４３０ｂに表示する。ＧＤＣマイコン６０は、例えば、車両のＡＣＣ（アクセサリー）電源又はＩＧ（イグニッション）電源がオンされたときにテスト画像を表示する。そして、ＧＤＣマイコン６０は、ＡＣＣ電源又はＩＧ電源がオンされた後に一定間隔でテスト画像を表示する。なお、ＧＤＣマイコン６０は、ＡＣＣ電源又はＩＧ電源がオンされた後、連続してテスト画像を表示してもよい。ＧＤＣマイコン６０は、照度センサ５１に接続され、当該照度センサ５１から出力された表示画面４３０の照度に基づいて液晶ディスプレイ装置４０の故障を判定する。ＧＤＣマイコン６０は、例えば、予め定められた第１基準値と照度センサ５１から出力された表示画面４３０の照度とを比較し、表示画面４３０の照度が第１基準値未満である場合、液晶ディスプレイ４３が故障していると判定する。また、ＧＤＣマイコン６０は、表示画面４３０の照度が第１基準値以上である場合、表示画面４３０の照度が正常であると判定する。なお、第１基準値は、例えば、試験等により求めた最適値や、車両用表示装置１の出荷時に検出した初動値等が用いられる。
【００２７】
ＧＤＣマイコン６０は、ＲＧＢの明るさの度合いを検出するためのテスト画像を表示画面４３０の非露出領域４３０ｂに表示する。ＧＤＣマイコン６０は、ＲＧＢセンサ５２に接続され、当該ＲＧＢセンサ５２から出力された表示画面４３０のＲＧＢの明るさの度合いに基づいて液晶ディスプレイ装置４０の故障を判定する。ＧＤＣマイコン６０は、例えば、予め定められた赤色の基準値を示す第２基準値とＲＧＢセンサ５２から出力された表示画面４３０の赤色の明るさの度合いとを比較する。そして、ＧＤＣマイコン６０は、表示画面４３０の赤色の明るさの度合いが第２基準値未満である場合、液晶ディスプレイ装置４０の赤色を出力する出力系統が故障していると判定する。この故障は、例えば、赤色を出力する信号伝送路に断線等の問題が生じることにより発生する。ＧＤＣマイコン６０は、表示画面４３０の赤色の明るさの度合いが第２基準値以上である場合、液晶ディスプレイ装置４０の赤色を出力する出力系統が正常であると判定する。ＧＤＣマイコン６０は、緑色及び青色についても赤色と同様に故障を判定する。なお、第２基準値は、例えば、試験等により求めた最適値や、車両用表示装置１の出荷時に検出した初動値等が用いられる。
【００２８】
次に、図３を参照して液晶ディスプレイ装置４０の動作例について説明する。ＧＤＣマイコン６０は、ＡＣＣ電源又はＩＧ電源がオンされたか否かを判定する（ステップＳ１）。ＧＤＣマイコン６０は、ＡＣＣ電源又はＩＧ電源がオンされた場合（ステップＳ１；Ｙｅｓ）、表示画面４３０の非露出領域４３０ｂにテスト画像を表示する（ステップＳ２）。ＧＤＣマイコン６０は、例えば、照度を検出するためのテスト画像を照度センサ５１の近傍の非露出領域４３０ｂに表示する。また、ＧＤＣマイコン６０は、ＲＧＢの明るさの度合いを検出するためのテスト画像をＲＧＢセンサ５２の近傍の非露出領域４３０ｂに表示する。次に、ＧＤＣマイコン６０は、表示画面４３０の照度が正常であるか否かを判定する（ステップＳ３）。ＧＤＣマイコン６０は、表示画面４３０の照度が第１基準値以上である場合、表示画面４３０の照度が正常であると判定する。ＧＤＣマイコン６０は、表示画面４３０の照度が正常である場合（ステップＳ３；Ｙｅｓ）、表示画面４３０のＲＧＢの明るさの度合いが正常であるか否かを判定する（ステップＳ４）。ＧＤＣマイコン６０は、例えば、表示画面４３０の赤色の明るさの度合いが第２基準値以上である場合、液晶ディスプレイ装置４０の赤色を出力する出力系統が正常であると判定する。ＧＤＣマイコン６０は、表示画面４３０のＲＧＢの明るさの度合いが正常である場合（ステップＳ４；Ｙｅｓ）、ＡＣＣ電源又はＩＧ電源がオフされたか否かを判定する（ステップＳ５）。ＧＤＣマイコン６０は、ＡＣＣ電源又はＩＧ電源がオフされた場合（ステップＳ５；Ｙｅｓ）、処理を終了し、ＡＣＣ電源又はＩＧ電源がオフされない場合（ステップＳ５；Ｎｏ）、ステップＳ２に戻って、再度、表示画面４３０の非露出領域４３０ｂにテスト画像を表示する。
【００２９】
また、上述のステップＳ１で、ＧＤＣマイコン６０は、ＡＣＣ電源又はＩＧ電源がオンされない場合（ステップＳ１；Ｎｏ）、ＡＣＣ電源又はＩＧ電源がオンされるまで待機する。上述のステップＳ３で、ＧＤＣマイコン６０は、表示画面４３０の照度が第１基準値未満である場合、表示画面４３０の照度が正常でないと判定する。ＧＤＣマイコン６０は、表示画面４３０の照度が正常でない場合（ステップＳ３；Ｎｏ）、液晶ディスプレイ装置４０の故障を報知する（ステップＳ６）。ＧＤＣマイコン６０は、例えば、音声出力部（図示省略）を介して故障を音声により報知する。上述のステップＳ４で、ＧＤＣマイコン６０は、例えば、表示画面４３０の赤色の明るさの度合いが第２基準値未満である場合、液晶ディスプレイ装置４０の赤色を出力する出力系統が正常でないと判定する。ＧＤＣマイコン６０は、表示画面４３０のＲＧＢの明るさの度合いが正常でない場合（ステップＳ４；Ｎｏ）、液晶ディスプレイ装置４０の故障を報知する（ステップＳ６）。
【００３０】
以上のように、実施形態に係る車両用表示装置１は、液晶ディスプレイ装置４０と、筐体１０と、検出部５０と、ＧＤＣマイコン６０とを備える。液晶ディスプレイ装置４０は、車両に搭載され画像を表示する表示画面４３０を有する。筐体１０は、液晶ディスプレイ装置４０を収容する。検出部５０は、表示画面４３０の発光状態を検出する。ＧＤＣマイコン６０は、検出部５０の検出結果に基づいて液晶ディスプレイ装置４０の故障を判定する。表示画面４３０は、筐体１０の外側に露出した露出領域４３０ａ、及び、筐体１０の外側に露出していない非露出領域４３０ｂを含んで構成される。検出部５０は、非露出領域４３０ｂの発光状態を検出する。
【００３１】
この構成により、車両用表示装置１は、露出領域４３０ａに表示される画像とは異なるテスト画像を非露出領域４３０ｂに表示することができる。そして、車両用表示装置１は、非露出領域４３０ｂに表示されたテスト画像を検出部５０により検出することで、液晶ディスプレイ装置４０の故障を適正に検出することができる。
【００３２】
上記車両用表示装置１において、筐体１０は、箱状に形成され液晶ディスプレイ装置４０が配置される開口部１１１が設けられる収容ケース１１、及び、枠状に形成され開口部１１１を囲んで組み付けられる見返し部材１２を含んで構成される。見返し部材１２は、開口部１１１に組み付けられた状態で表示画面４３０の非露出領域４３０ｂを覆う覆い壁１２１ａを含んで構成される。検出部５０は、覆い壁１２１ａと非露出領域４３０ｂとの間に設けられる。この構成により、車両用表示装置１は、アイポイントＥＰから視て覆い壁１２１ａにより検出部５０を隠すことができるので、意匠性を向上できる。
【００３３】
上記車両用表示装置１において、非露出領域４３０ｂは、液晶ディスプレイ装置４０の故障を検出するためのテスト画像を表示する。そして、検出部５０は、非露出領域４３０ｂに表示されたテスト画像に基づいて発光状態を検出する。この構成により、車両用表示装置１は、露出領域４３０ａに表示される画像とは異なるテスト画像を検出部５０により検出することで、精度よく故障を検出することができる。
【００３４】
〔変形例〕
次に、実施形態の変形例について説明する。液晶ディスプレイ装置４０は、１つの液晶ディスプレイ４３を含んで構成される例について説明したが、これに限定されず、複数の液晶ディスプレイ４３を含んで構成されてもよい。変形例に係る液晶ディスプレイ装置４０Ａは、例えば、図４に示すように、第１表示部としての第１液晶ディスプレイ４３Ａと、第２表示部としての第２液晶ディスプレイ４３Ｂとを含んで構成される。第１液晶ディスプレイ４３Ａ及び第２液晶ディスプレイ４３Ｂは、それぞれが異なるディスプレイである。第１液晶ディスプレイ４３Ａは、カラー画像を表示する第１表示画面４３０Ａを奥行き方向の前面側に有する。第１表示画面４３０Ａは、筐体１０の外側に露出した第１露出領域４３０ｃ、及び、筐体１０の外側に露出していない第１非露出領域４３０ｄを含んで構成される。第２液晶ディスプレイ４３Ｂは、カラー画像を表示する第２表示画面４３０Ｂを奥行き方向の前面側に有する。第２表示画面４３０Ｂは、筐体１０の外側に露出した第２露出領域４３０ｅ、及び、筐体１０の外側に露出していない第２非露出領域４３０ｆを含んで構成される。ここでは、第１表示画面４３０Ａ及び第２表示画面４３０Ｂは、同等の大きさに形成されているが、これに限定されない。照度センサ５１Ａ及びＲＧＢセンサ５２Ａは、第１非露出領域４３０ｄの発光状態を検出する。照度センサ５１Ｂ及びＲＧＢセンサ５２Ｂは、第２非露出領域４３０ｆの発光状態を検出する。
【００３５】
ＧＤＣマイコン６０は、照度センサ５１Ａから出力された第１表示画面４３０Ａの照度に基づいて第１液晶ディスプレイ４３Ａの故障を判定する。また、ＧＤＣマイコン６０は、ＲＧＢセンサ５２Ａから出力された第１表示画面４３０ＡのＲＧＢの明るさの度合いに基づいて第１液晶ディスプレイ４３Ａの故障を判定する。また、ＧＤＣマイコン６０は、照度センサ５１Ｂから出力された第２表示画面４３０Ｂの照度に基づいて第２液晶ディスプレイ４３Ｂの故障を判定する。また、ＧＤＣマイコン６０は、ＲＧＢセンサ５２Ｂから出力された第２表示画面４３０ＢのＲＧＢの明るさの度合いに基づいて第２液晶ディスプレイ４３Ｂの故障を判定する。ＧＤＣマイコン６０は、第１液晶ディスプレイ４３Ａが故障した場合、当該第１液晶ディスプレイ４３Ａに表示する画像（例えば車速やハンドオーバ等を示す画像）を第２液晶ディスプレイ４３Ｂに表示する。また、ＧＤＣマイコン６０は、第２液晶ディスプレイ４３Ｂが故障した場合、当該第２液晶ディスプレイ４３Ｂに表示する画像（例えばエンジン回転数等の画像）を第１液晶ディスプレイ４３Ａに表示する。
【００３６】
以上のように、変形例に係る車両用表示装置１Ａにおいて、液晶ディスプレイ装置４０Ａは、画像を表示する第１液晶ディスプレイ４３Ａ及び第１液晶ディスプレイ４３Ａとは異なる第２液晶ディスプレイ４３Ｂを含んで構成される。そして、ＧＤＣマイコン６０は、第１液晶ディスプレイ４３Ａが故障した場合、当該第１液晶ディスプレイ４３Ａに表示する画像を第２液晶ディスプレイ４３Ｂに表示する。この構成により、車両用表示装置１Ａは、第１液晶ディスプレイ４３Ａが故障しても車両に関する必要な情報を可能な限り表示することができるので、フォールトトレランス性を向上できる。
【００３７】
なお、表示画面４３０の非露出領域４３０ｂは、枠状に形成される例について説明したが、これに限定されない。非露出領域４３０ｂは、筐体１０の外側に露出しない領域であれば、如何なる形状であってもよい。非露出領域４３０ｂは、例えば、表示画面４３０の右上角部及び左上角部を三角形状に形成してもよい。この場合、非露出領域４３０ｂは、三角形状の覆い壁（図示省略）により覆われる。
【００３８】
また、検出部５０は、照度センサ５１及びＲＧＢセンサ５２を用いる例について説明したが、これに限定されない。検出部５０は、照度センサ５１又はＲＧＢセンサ５２のいずれか一方を用いてもよいし、照度センサ５１及びＲＧＢセンサ５２とは異なるセンサを用いて表示画面４３０の発光状態を検出してもよい。
【００３９】
また、表示部は、液晶ディスプレイ装置４０である例について説明したが、これに限定されず、有機ＥＬ（Ｅｌｅｃｔｒｏ−Ｌｕｍｉｎｅｓｃｅｎｃｅ）等であってもよい。
【００４０】
また、非露出領域４３０ｂは、アイポイントＥＰから視て見返し部材１２により隠れた領域である例について説明したが、これに限定されず、例えば、アイポイントＥＰから視て収容ケース１１により隠れた領域であってもよい。
【００４１】
また、照度センサ５１は、表示画面４３０の非露出領域４３０ｂに設けられる例について説明したが、これに限定されない。照度センサ５１は、非露出領域４３０ｂの発光状態を検出可能な位置であればその他の位置に設けても良い。
【符号の説明】
【００４２】
１、１Ａ  車両用表示装置
１０  筐体
１１  収容ケース（本体部）
１１１  開口部
１２  見返し部材
１２１ａ  覆い壁
４０、４０Ａ  液晶ディスプレイ装置（表示部）
４３Ａ  第１液晶ディスプレイ（第１表示部）
４３Ｂ  第２液晶ディスプレイ（第２表示部）
４３０  表示画面
４３０Ａ  第１表示画面
４３０Ｂ  第２表示画面
４３０ａ  露出領域
４３０ｃ  第１露出領域
４３０ｅ  第２露出領域
４３０ｂ  非露出領域
４３０ｄ  第１非露出領域
４３０ｆ  第２非露出領域
５０  検出部
６０  ＧＤＣマイコン（制御部）
【図１】
2019156248.tif 000003
【図２】
2019156248.tif 000004
【図３】
2019156248.tif 000005
【図４】
2019156248.tif 000006